(57)【要約】【課題】  速やかに乾燥させることができ、しかも入浴時に開放感が得られる浴室を提供する。【解決手段】  浴室１と隣室２との間に設けられる第１のドア４と、浴室１と建物外部との間に設けられる第２のドア１９とを備え、浴室１と隣室２との床面レベルがほぼ同一に形成されているとともに、第２のドア１９の下端は、浴室床面近傍に位置するように構成されている。【選択図】  図３
2005240312.tif 000002
【特許請求の範囲】
【請求項１】
浴室と隣室との間に設けられる第１のドアと、浴室と建物外部との間に設けられる第２のドアまたは窓とを備え、浴室と隣室との床面レベルがほぼ同一に形成されているとともに、前記第２のドアまたは窓の下端は、浴室床面近傍に位置するように構成されていることを特徴とする浴室。
【請求項２】
前記第１のドアは、少なくとも半分以上の面積が透明であることを特徴とする請求項１に記載の浴室。
【請求項３】
前記第２のドアまたは窓が、少なくとも半分以上の面積が透明であることを特徴とする請求項１または請求項２に記載の浴室。
【請求項４】
前記第２のドアまたは窓が、浴室の１つの壁面のほぼ全幅に亘って設けられ、浴槽は、当該壁面と対向する側に設けられていることを特徴とする請求項１または請求項２または請求項３に記載の浴室。
【請求項５】
前記第２のドアまたは窓が折り戸であることを特徴とする請求項１または請求項２または請求項３または請求項４に記載の浴室。
【請求項６】
前記第２のドアまたは窓の浴室外側にはデッキを設け、該デッキは浴室床面とほぼ面一に設けられていることを特徴とする請求項１または請求項２または請求項３または請求項４または請求項５に記載の浴室。
【発明の詳細な説明】
【技術分野】
【０００１】
本発明は、浴室に関するものである。
【背景技術】
【０００２】
従来、浴室は、例えば特許文献１に開示されているように構成されている。
【特許文献１】特開２００３−９７０６６号公報
【発明の開示】
【発明が解決しようとする課題】
【０００３】
従来の浴室においては、窓が設けられている場合においても、窓は高い位置に設けられているため、浴室の窓と、隣室間のドアを開放しても、風が当たらないデッドスペースが浴室内にできてしまい、浴室内を速やかに乾燥させることが困難であるという問題点があった。
【課題を解決するための手段】
【０００４】
本発明は上記従来の問題点に鑑み案出したものであって、速やかに浴室内を乾燥させることができ、開放感の得られる浴室を提供するものであり、その請求項１は、浴室と隣室との間に設けられる第１のドアと、浴室と建物外部との間に設けられる第２のドアまたは窓とを備え、浴室と隣室との床面レベルがほぼ同一に形成されているとともに、前記第２のドアまたは窓の下端は、浴室床面近傍に位置するように構成されていることである。
【０００５】
また請求項２は、前記第１のドアは、少なくとも半分以上の面積が透明であることである。
また請求項３は、前記第２のドアまたは窓が、少なくとも半分以上の面積が透明であることである。
【０００６】
また請求項４は、前記第２のドアまたは窓が、浴室の１つの壁面のほぼ全幅に亘って設けられ、浴槽は、当該壁面と対向する側に設けられていることである。
また請求項５は、前記第２のドアまたは窓が折り戸であることである。
また請求項６は、前記第２のドアまたは窓の浴室外側にはデッキを設け、該デッキは浴室床面とほぼ面一に設けられていることである。
【発明の効果】
【０００７】
本発明は、浴室と隣室との間に設けられる第１のドアと、浴室と建物外部との間に設けられる第２のドアまたは窓とを備え、浴室と隣室との床面レベルがほぼ同一に形成されているとともに、第２のドアまたは窓の下端は、浴室床面近傍に位置するように構成されていることにより、第１のドアと第２のドアまたは窓を開放すれば、風が浴室の床面を掃くように吹き抜け、浴室内を速やかに乾燥させることができ、カビの発生を良好に防止できるものとなる。
【０００８】
また、第１のドアは、少なくとも半分以上の面積が透明であることにより、入浴時等に隣室が視認できて開放感が得られるものとなる。
また、第２のドアまたは窓が、少なくとも半分以上の面積が透明であることにより、入浴時に外が見えて開放感が得られ、また、昼間に日光を豊富に浴室内に取り入れることができ、良好に浴室内を乾燥できるものとなる。
【０００９】
また、第２のドアまたは窓が、浴室の１つの壁面のほぼ全幅に亘って設けられ、この壁面と対向する側に浴槽が設けられていることにより、第２のドアまたは窓を全開すると、浴室の洗い場の全面が外気にさらされ、乾燥がより良好に行われるものとなり、また入浴時の開放感が得られるものとなる。
【００１０】
また、第２のドアまたは窓が折り戸であることにより、折り戸は完全に全開放できるため、浴室の全面が外気にさらされて乾燥が良好に行われるものとなり、また入浴時等に、折り戸を開けることで、開放感及び爽快感が向上するものとなる。
また、第２のドアまたは窓の浴室外側に、浴室床面とほぼ面一にデッキを設けたことにより、浴室から直接屋外に出ることができ、より開放感が得られるものとなる。また、このデッキを使用し、浴室のシャワーを利用することで、庭仕事の泥を落としたり、ペットを洗ったりすることもできるものとなる。
【実施例】
【００１１】
以下、本発明の実施例を図面に基づいて説明する。
図１は、浴室とその隣の洗面室との平面概略構成図であり、浴室１と洗面室２間は、透明のガラス板等で構成された仕切壁３と、開閉可能なドア４で仕切られており、このドア４も透明なガラス製で構成しておくことができる。
浴室１の洗い場５のドア４側の床面には、排水溝５ａが形成されており、また奥側には排水口５ｂが形成されている。
【００１２】
なお、浴室１の浴槽６と対向する側の壁面には、折り戸式のドア１９が壁面の全幅に亘り設けられており、この上面側から見た平面斜視図を図３に示す。
また、この折り戸ドア１９の屋外にはデッキ２０が設置されており、このデッキ２０と浴室１の洗い場５の床面は、ほぼ面一状となるように設定されており、折り戸ドア１９を開けて、洗い場５からデッキ２０上に出ることができるように構成されている。
また、洗面室２内には、洗面化粧台７と便器８が設けられている。
【００１３】
なお、図２には、浴室１と洗面室２に亘る床面の縦断面拡大構成図を示している。
図２において、浴室１の床面は、排水溝５ａを有する防水パン９が設置され、この上面に耐湿性の下地材１０が敷設され、この下地材１０の上面にタイル１１が貼着されて構成されている。
また、洗面室２側の床面は、基礎１２上に土台１３と根太１４を設け、この上に合板１６が敷設され、その上に下地材１０が敷設されて、この下地材１０の上面にタイル１１が貼着されている。
浴室１と洗面室２間にはステンレス製の見切材１５が設けられており、浴室１の床面と洗面室２の床面は、床面レベルがほぼ同一に設定されて面一状をなし、バリアフリーに形成されている。
【００１４】
なお、前記下地材１０は、ガラス繊維ネットや合成樹脂繊維ネット等の網目状メッシュシートを埋め込んだ、セメントを主成分とするセメント系ボードで構成されている。
また、前記タイル１１に代えて、石材，樹脂製の化粧材，木質化粧材，ガラス系化粧材等の他の建築意匠材が貼着されて床面が構成される場合もあり、何れの場合も、浴室１と洗面室２の床面レベルがほぼ同一になるように施工されるものである。
このような構成では、浴室１と洗面室２を仕切るドア４を開け、且つ、折り戸ドア１９を全開することにより、外気が浴室１内に流入し、風が洗い場５の床面を掃くようにして吹き抜けることができ、速やかに洗い場床面等を乾燥させて、カビの発生を良好に防止できるものとなる。
【００１５】
また、ドア４，折り戸ドア１９を開放させた状態で、浴槽６内で入浴することもでき、開放感及び爽快感が得られるものである。
なお、折り戸ドア１９が透明なものである場合には、昼間に日光が十分に浴室１内に差し込み、良好に浴室１内を乾燥させることができ、また十分な開放感が得られるものとなる。
また、入浴時等に折り戸ドア１９を開けて、外のデッキ２０上に出ることもでき、より良好な開放感が得られるものとなる。
また、このデッキ２０を使用し、浴室１のシャワーを利用することで、庭仕事の泥を落としたり、ペットを洗ったりすることもできるものとなる。
【図面の簡単な説明】
【００１６】
【図１】浴室と洗面室の平面構成図である。
【図２】浴室と洗面室の床構造を示す要部縦断面拡大構成図である。
【図３】図１の浴室と洗面室を上方から見た斜視構成図である。
【符号の説明】
【００１７】
１  浴室
２  洗面室
３  仕切壁
４  ドア
５  洗い場
６  浴槽
９  防水パン
１０  下地材
１１  タイル
１９  折り戸ドア
２０  デッキ
【図１】
2005240312.tif 000003
【図２】
2005240312.tif 000004
【図３】
2005240312.tif 000005